(57)【要約】【課題】血液型毎に複数種類存在する血液製剤ラベルを統一することが可能なラベル、ラベル発行システム及びプリンタを提供すること。【解決手段】従来のラベル発行方法では、血液型の種別毎に専用の血液製剤ラベルを用意する必要があるため、ラベルの製造コストや在庫コストが嵩むという問題がある。そこで、各血液型を表した複数の領域からなり、特定の領域を選択的に指定するための入力領域を有し、当該入力領域において前記血液型を表した領域の夫々が互いに異なる色を用いて表されていることを特徴とするラベルとすることで血液型毎に複数種類存在するラベルを共通化したラベル様式にて提供することが可能となる。【選択図】図４
2011182917.tif 000002
【特許請求の範囲】
【請求項１】
各血液型を表した複数の領域からなる入力領域を有し、当該入力領域において前記血液型を表した領域の夫々が互いに異なる色を用いて表されていることを特徴とするラベル。
【請求項２】
選択された血液型を印字するための入力領域を有し、当該入力領域が前記選択された血液型毎に予め定められた色に発色可能な感熱用紙で形成されていることを特徴とするラベル。
【請求項３】
少なくとも血液に関する情報を受け付ける入力装置と、前記入力装置が受け付けた血液に関する情報に基づいてラベルに印刷するプリンタと、を有するラベル発行システムにおいて、
前記プリンタは各血液型を表した互いに異なる色の複数の領域からなるラベルに特定の血液型を選択的に指定する印字を行うことを特徴とするラベル発行システム。
【請求項４】
少なくとも血液に関する情報を受け付ける入力装置と、前記入力装置が受け付けた血液に関する情報に基づいてラベルに印刷するプリンタと、を有するラベル発行システムにおいて、
前記プリンタは、選択された血液型を印字するための入力領域を有し、当該入力領域が前記選択された血液型毎に予め定められた色に発色可能な感熱用紙で形成されているラベルに特定の血液型を選択的に指定する印字を行うことを特徴とするラベル発行システム。
【請求項５】
選択された血液型を表示するラベルを発行するプリンタであって、
少なくとも血液に関する情報を受け付ける受付手段を備え、
前記受付手段が受け付けた前記血液に関する情報に基づいて、各血液型を表した互いに異なる色の複数の領域からなるラベルに特定の血液型を選択的に指定する印字を行うことを特徴とするプリンタ。
【請求項６】
選択された血液型を表示するラベルを発行するプリンタであって、
少なくとも血液に関する情報を受け付ける受付手段を備え、
前記受付手段が受け付けた前記血液に関する情報に基づいて、前記選択された血液型を印字するための入力領域を有し、当該入力領域が前記選択された血液型毎に予め定められた色に発色可能な感熱用紙で形成されているラベルに特定の血液型を選択的に指定する印字を行うことを特徴とするプリンタ。
【発明の詳細な説明】
【技術分野】
【０００１】
本開示は、ラベル、ラベル発行システム及びプリンタに関する。
【背景技術】
【０００２】
従来、医療の現場においては、医療過誤を防止するために、血液に関するもの、例えば、輸血用血液製剤等について、バーコードラベルを用いて管理している。これらのバーコードラベルに記載される内容等はバーコードプリンタによって印字される。（例えば、特許文献１。）なお、血液製剤とは、人の血液を原料として製造される医薬品の総称のことをいう。例えば、献血などにより、血液提供者から採血を行い、当該採血により得た血液を原料として血液製剤は製造される。
【０００３】
ここで、血液製剤容器に貼り付けられるラベルである血液製剤ラベルにおいては、各血液型に応じて、予め色分け印字されたラベルが使用される（図１７）。これらのラベルは例えば、Ａ型は黄色、Ｂ型は白色、ＡＢ型は緑色、Ｏ型は桃色のように各血液型に応じて個別に色分けされている。この血液型毎に色分けされたラベルに対してプリンタにより血液に関する表示が必要な事項（採血年月日、最終有効年月日など）を印字する。医療従事者は、この各血液型に応じて色分けされた血液製剤ラベルを目視により確認し、各血液型に対応する血液製剤容器に貼り付ける。そして、貼られたラベルの色を見て血液製剤容器に内包されている血液の血液型を確認し、その管理を行っている。  
【０００４】
特許文献１には、血液製剤ラベルに印字される所定の印字情報（採血日及び有効年月日又はこれらに対応するバーコード等）をバーコードプリンタにて１回の印字処理で済ませることが可能なラベル発行方法が開示されている。
【０００５】
このラベル発行方法は、血液提供者から取得した血液に関する所定の情報（例えば、血液型、採血日時、採血者ＩＤ等）の入力を受け付け、かつプリンタに対してラベル印字発行命令を通知する１台の端末（例えばパーソナル・コンピュータ）に対して、血液型の種別毎に専用の血液製剤ラベルがセットされたプリンタを接続することにより血液製剤ラベルの印刷を行っている。つまり、１台の端末に対して４台のプリンタ（Ａ型、Ｂ型、Ｏ型、ＡＢ型それぞれの血液型専用の血液製剤ラベル発行専用プリンタ）が接続され、各血液製剤ラベルを印字発行している。
【発明の概要】
【発明が解決しようとする課題】
【０００６】
上述した従来のラベル発行方法では、血液型の種別毎に専用の血液製剤ラベルを用意する必要があるため、ラベルの製造コストや在庫コストが嵩むという問題がある。
【０００７】
本発明は上記事情に鑑みてなされたものであって、複数種類存在していたラベルを共通化することによって、ラベルの低コスト化を図ることが可能なラベル、ラベル発行システム及びプリンタを提供することを目的とする。
【課題を解決するための手段】
【０００８】
各血液型を表した複数の領域からなる入力領域を有し、当該入力領域において前記血液型を表した領域の夫々が互いに異なる色を用いて表されていることを特徴とするラベル。
【０００９】
選択された血液型を印字するための入力領域を有し、当該入力領域が前記選択された血液型毎に予め定められた色に発色可能な感熱用紙で形成されていることを特徴とするラベル。
【００１０】
少なくとも血液に関する情報を受け付ける入力装置と、前記入力装置が受け付けた血液に関する情報に基づいてラベルに印刷するプリンタと、を有するラベル発行システムにおいて、前記プリンタは各血液型を表した互いに異なる色の複数の領域からなるラベルに特定の血液型を選択的に指定する印字を行うことを特徴とするラベル発行システム。
【００１１】
少なくとも血液に関する情報を受け付ける入力装置と、前記入力装置が受け付けた血液に関する情報に基づいてラベルに印刷するプリンタと、を有するラベル発行システムにおいて、前記プリンタは、選択された血液型を印字するための入力領域を有し、当該入力領域が前記選択された血液型毎に予め定められた色に発色可能な感熱用紙で形成されているラベルに特定の血液型を選択的に指定する印字を行うことを特徴とするラベル発行システム。
【００１２】
選択された血液型を表示するラベルを発行するプリンタであって、少なくとも血液に関する情報を受け付ける受付手段を備え、前記受付手段が受け付けた前記血液に関する情報に基づいて、各血液型を表した互いに異なる色の複数の領域からなるラベルに特定の血液型を選択的に指定する印字を行うことを特徴とするプリンタ。
【００１３】
選択された血液型を表示するラベルを発行するプリンタであって、少なくとも血液に関する情報を受け付ける受付手段を備え、前記受付手段が受け付けた前記血液に関する情報に基づいて、前記選択された血液型を印字するための入力領域を有し、当該入力領域が前記選択された血液型毎に予め定められた色に発色可能な感熱用紙で形成されているラベルに特定の血液型を選択的に指定する印字を行うことを特徴とするプリンタ
【発明の効果】
【００１４】
本発明によれば、ラベルの低コスト化を実現できる。
【図面の簡単な説明】
【００１５】
【図１】図１は、ラベル発行システムを概略的に示す図である。
【図２】図２は、ＰＣ端末の構成を模式的に示すブロック図である。
【図３】図３は、プリンタに収納されるロール紙を示す図である。
【図４】図４は、第１の実施形態で用いるラベルの一例を示す図である。
【図５】図５は、第１の実施形態に係るプリンタの構成を模式的に示すブロック図である。
【図６】図６は、血液情報管理テーブルを構成するデータ項目の一例を示す図である。
【図７】図７は、血液情報受付からラベル印刷発行開始までの手順を示すフローチャートである。
【図８】図８は、第１の実施形態に係るラベル印刷処理の手順を示すフローチャートである。
【図９】図９は、図４のラベルを用いて発行されたラベルの一例を示す図である。
【図１０】図１０は、第１の実施形態で用いるラベルの他の例を示す図である。
【図１１】図１１は、図１１のラベルを用いて発行された一例を示す図である。
【図１２】図１２は、第２の実施形態で用いるラベルの一例を示す図である。
【図１３】図１３は、第２の実施形態に係るプリンタの構成を模式的に示すブロック図である。
【図１４】図１４は、第２の実施形態に係るラベル印刷処理の手順を示すフローチャートである。
【図１５】図１５は、図１２のラベルを用いて発行された配送伝票の一例を示す図である。
【図１６】図１６は、従来のラベル発行システムを概略的に示す図である。
【図１７】図１７は、従来のラベルの一例を示す図である。
【発明を実施するための形態】
【００１６】
以下、添付図面を参照して、本発明に係るラベル、ラベル発行システム及びプリンタの実施形態を詳細に説明する。なお、本実施の形態では献血用血液製剤ラベルを例として説明を行う。また、以下に説明する実施形態により本発明が限定されるものではない。
【００１７】
［第１の実施形態］
図１は、本実施形態に係るラベルの発行システムを概略的に示すブロック図である。同図に示すように、ラベル発行システム１は、ＰＣ（パーソナル・コンピュータ）端末１１、プリンタ１２及びセンタサーバ１３を有して構成されている。
【００１８】
ＰＣ端末１１は、医師や看護師等の操作者Ｈ１により入力される所定の情報を受け付ける入力装置である。ここで、操作者Ｈ１が入力する情報としては、採血された患者の氏名、生年月日などの血液提供者を特定する情報、血液型、採血年月日、採血時間、採血場所、等の採血を行った血液に関する情報等が挙げられる。
【００１９】
図２は、ＰＣ端末１１のハードウェア構成を模式的に示すブロック図である。同図に示すように、ＰＣ端末１１は、制御部１１１と、表示部１１２と、入力部１１３と、コードスキャナ部１１４と、サーバ通信部１１５と、プリンタ通信部１１６とを備え、各部がバス１１７により接続されている。なお、ここで各構成は必ずしも必要ではなく、例えばコードスキャナ部１１４は付加的にＰＣ端末に接続されて設けられる状態であってもよい。
【００２０】
制御部１１１は、ＣＰＵ（Central  Processing  Unit）、ＲＯＭ（Read  Only  Memory）、ＲＡＭ（Random  Access  Memory）等で構成される。ＣＰＵとＲＯＭに記憶された所定の制御プログラムとの協働により、ＰＣ端末１１の動作を統括的に制御する。また、制御部１１１は、ＣＰＵとＲＯＭに記憶された所定の制御プログラムとの協働により、後述する医療従事者等の操作者Ｈ１からの情報の入力を受け付ける処理を実行する。
【００２１】
表示部１１２は、液晶ディスプレイ等の表示デバイスにより構成され、制御部１１１の制御に従い文字や画像の表示を行う。入力部１１３は、キーボードやテンキー等から構成され、操作者Ｈ１による操作に応じた入力信号を制御部１１１へ出力する。コードスキャナ部１１４は、操作者Ｈ１の負担を減らすために、ＰＣ端末１１に手入力にて登録する必要がある情報（採血担当者情報、採血場所等）が記録されたバーコードや二次元コード等のコード情報を読み取り、制御部１１１へ出力する。
【００２２】
サーバ通信部１１５は、ネットワークＮに接続可能なネットワークインタフェースであって、センタサーバ１３との間の通信を制御する。プリンタ通信部１１６は、無線又は有線によりプリンタ１２と接続可能なインタフェースであって、プリンタ通信部１１６との間の通信を制御する。
【００２３】
なお、ＰＣ端末１１は他の入力装置に置き換えることも可能である。例えば、ハンディスキャナやＰＤＡといった情報入力が可能な入力装置で構成されていればよい。
【００２４】
図１に戻り、プリンタ１２は、血液製剤ラベルを印字発行するプリンタ装置であって、ＰＣ端末１１からの指示に従い後述するラベル印刷処理を実行する。具体的に、プリンタ１２は、記録用紙となるロール紙を収納するための用紙収納部を有し、このロール紙上に印字した血液製剤ラベルを発行口から出力（発行）する。なお、発行口付近には、出力されたラベル用紙を切り離すためのカッターが設けられている。
【００２５】
図３は、プリンタ１２に収納されるロール紙の一例を示す図である。同図に示すように、ロール紙２０は、台紙２２と、この台紙２２に所定間隔をもって貼り付けられたラベル２１とを備えている。ラベル２１は、Ａ型、Ｂ型、Ｏ型、ＡＢ型といった血液型の情報が予め印字され、かつ、採血年月日、採血時間、採血場所、最終有効年月日、等の血液提供者から取得した血液に関する情報を印字するための欄が予め形成されている。プリンタ１２は、ラベル２１の各欄に上述した血液に関する情報等を印字することで、当該ラベル２１を血液製剤ラベルとして発行口から出力する。なお、本実施形態では、単一色（黒色）による印字を想定しているため、プリンタ１２が感熱方式のプリンタである場合には、ロール紙２０として黒色を発色可能な感熱用紙を用いることも可能である。
【００２６】
図４は、ロール紙２０に形成されたラベル２１の一例を示す図である。同図に示すように、ラベル２１には、血液提供者の血液に関する情報、すなわち血液製剤の原料となる血液に関する情報を記録するための各欄が設けられている。領域Ａ１１には、各血液型の種別に対応する領域が夫々異なる色を用いて表されている。ここで、領域Ａ１１の各血液型を表した複数の領域には「Ａ型」、「Ｂ型」、「Ｏ型」、「ＡＢ型」が予めそれぞれ異なる色によって色分けされて印刷されている。ここで、例えば、「Ａ型」は黄色、「Ｂ型」は白色、「Ｏ型」は緑色、「ＡＢ型」は桃色と夫々異なる色にて色分けされて印刷されている。
【００２７】
領域Ａ１２には、操作者Ｈ１からＰＣ端末により入力された血液提供者の血液に関する情報（血液型、採血年月日、採血時間、採血場所など）を印刷するための欄が設けられている。例えば、この領域Ａ１２には、操作者Ｈ１がＰＣ端末１１により上記の血液提供者の血液に関する情報を入力し、ＰＣ端末１１が受け付けた当該血液に関する情報の中に含まれる血液型の情報とこの血液型の情報に対応するバーコードを印刷する。領域Ａ１３には、血液提供者に対して採血を行った採血場所、その血液提供者の血液型、また血液を提供した血液提供者を識別す血液提供者ＩＤ等の情報を印刷するための欄が設けられている。領域Ａ１４は、上記領域Ａ１３に印字された情報に対応する情報を有したバーコードを印刷するための欄である。また、領域Ａ１５は、血液提供者に対して採血を行った採血年月日、採血により得た血液を凍結した日を示す凍結年月日、当該凍結した血液を解凍した日を示す解凍年月日などの情報を印刷するための欄である。なお、領域Ａ１２〜領域Ａ１５に印刷される事項は上記に示した事項に限られるものではなく、また上記の血液に関係する情報を示す欄は上下に入れ替わって印刷されていてもよい。
【００２８】
領域Ａ１６には、血液製剤取り扱い時の注意事項を印刷する欄である。この欄には、例えば、「貯蔵方法について２℃から６℃の範囲にて貯蔵する。」との注意書きや、「医師などの処方箋により使用すること。」等の事項や、当該血液製剤の製造元などが印字される領域である。領域Ａ１２〜領域Ａ１５の欄に印刷される印刷事項は、サーバ１３から送信される後述する印字情報に基づいて印字される。また、領域Ａ１６は予め上述した所定の注意事項が印字されていてもよく、またサーバ１３から情報が送信された後、当該ラベル１２に対して印刷を行う形態であってもよい。
【００２９】
次に、プリンタ１２のハードウェア構成について説明する。図５は、プリンタ１２のハードウェア構成を模式的に示すブロック図である。同図に示すように、プリンタ１２は、制御部１２１と、表示部１２２と、入力部１２３と、端末通信部１２４と、印字部１２５とを備え、各部がバス１２６により接続されている。
【００３０】
制御部１２１は、ＣＰＵ、ＲＯＭ、ＲＡＭ等で構成され、ＣＰＵとＲＯＭに記憶された所定の制御プログラムとの協働により、ポータブルプリンタ１２の動作を統括的に制御する。また、制御部１２１は、ＣＰＵとＲＯＭに記憶された所定の制御プログラムとの協働により、後述するラベル印刷処理を実行する。
【００３１】
表示部１２２は、液晶ディスプレイ等の表示デバイスにより構成され、制御部１２１の制御に従い文字や画像の表示を行う。入力部１２３は、キーボードや操作ボタン等から構成され、操作者Ｈ１による操作に応じた入力信号を制御部１２１に出力する。
【００３２】
端末通信部１２４は、無線又は有線によりＰＣ端末１１のプリンタ通信部１１６と接続可能なインタフェースであって、ＰＣ端末１１とプリンタ１２の間の通信を制御する。
【００３３】
印字部１２５は、黒色印字可能なサーマルプリンタやドットプリンタ等のプリンタエンジンであって、制御部１２１の制御に従い、後述する印字情報に含まれた各情報（例えば、血液型、採血年月日等）をラベル２１の対応する領域に印字する。
【００３４】
図１に戻り、センタサーバ１３は、操作者Ｈ１である医療従事者が使用するデータベースサーバ等のサーバ装置である。センタサーバ１３は、ＣＰＵ、ＲＯＭ、ＲＡＭ等で構成される制御部と、液晶等の表示デバイスから構成される表示部と、キーボードやマウス等の入力デバイスから構成される入力部と、ネットワークＮに接続可能な通信部と、ＨＤＤやＳＤＤ等の記憶装置から構成される記憶部とを備えている（何れも図示せず）。
【００３５】
センタサーバ１３の記憶部は、血液提供者から取得した血液に関する情報を管理するための血液情報管理テーブル１３１を記憶している。
【００３６】
図６は、血液情報管理テーブル１３１を構成するデータ項目の一例を示す図である。同図に示すように、血液情報管理テーブル１３１は、血液提供者通し番号、採血年月日、採血場所、血液提供者ＩＤ，血液型、血液製剤の最終有効年月日、血液製剤を凍結した年月日である凍結年月日、血液製剤を解凍した年月日である解凍年月日等の血液に関する情報によって構成されている。なお、当然のことながらその他の各種血液に関する情報を当該血液情報管理テーブルにて管理していてもよい。
【００３７】
ここで、図１を参照して、血液情報管理テーブル１３１の利用形態について説明する。ＰＣ端末１１は、操作者Ｈ１により血液製剤の原料となる血液提供者から取得した血液に関する情報が入力されたことを受け付けると、当該血液に関する情報をセンタサーバ１３に通知するとともに、センタサーバ１３に当該情報を問い合わせる。センタサーバ１３の制御部は、当該情報の問い合わせを受け付けると、例えばＰＣ端末から入力された血液提供者ＩＤに関連付けられた情報（血液型、採血者氏名など）を血液情報管理テーブル１３１から読み出す。次に、センタサーバ１３は、後述する所定の印字情報をプリンタ１２に送信し、当該印字情報に基づいてラベル印字する動作を開始するよう、ラベル印刷処理開始の命令をプリンタ１２に通知する。
【００３８】
血液情報が血液情報管理テーブル１３１に未登録であった場合、操作者Ｈ１等により、血液提供者ＩＤ、血液型など、血液に関する情報を血液情報管理テーブル１３１に登録する。これにより、次回以降は、血液情報管理テーブル１３１に登録された情報を用いてラベル印刷発行処理を進めることが可能となる。
【００３９】
なお、センタサーバ１３の制御部は、ネットワークＮを介してＰＣ端末１１から血液製剤ラベルの印刷発行依頼を受け付ける毎に固有の印刷番号を発行（生成）する。印刷番号の発行方法は特に問わないものとするが、例えば、昇順に番号を割り振ることで重複しない印刷番号を発行することができる。
【００４０】
以下、図４及び図９を参照して血液製剤ラベルの印刷処理について説明する。
【００４１】
以下、血液製剤ラベル発行システム１の動作について説明する。図７は、ＰＣ端末１１、プリンタ１２及びセンタサーバ１３による血液情報受付からラベル発行処理の手順を示すフローチャートである。なお、本処理の前提として、医療従事者が血液提供者Ｈ２から献血などにより採血を行い、血液を取得しているとする。
【００４２】
まず、ＰＣ端末１１において、操作者Ｈ１がＰＣ端末１１に採血により血液提供者から得た血液に関する血液情報（例えば、採血者の氏名、生年月日などの採血者を特定する情報、血液型、採血年月日、採血時間、採血場所等）の入力を行うと、ＰＣ端末１１は、これらの血液情報を受け付ける（ステップＳ１１）。次に、ラベル印字発行の開始を指示する入力部１１３からの入力信号に応じ、制御部１１１が上述の血液情報及び血液製剤ラベルの発行を依頼する発行要求をセンタサーバ１３へ送信する（ステップＳ１２）。センタサーバ１３では、ＰＣ端末１１からのラベル発行要求に応じて図示しない制御部が、ＰＣ端末１１から送信された血液情報を受信し、血液情報管理テーブル１３１を新たに更新する（ステップＳ２１）。更新する情報としては、図６にて示す血液提供者通し番号、採血を行った年月日日である採血年月日、採血を行った採血場所、血液提供者を識別する固有の番号である血液提供者ＩＤ、血液提供者の血液型、採血により得られた血液の最終有効年月日、血液を凍結した年月日を示す凍結年月日、血液を解凍した年月日を示す解凍年月日などである。なお、これらの情報は、更新する必要がない場合、情報の更新は行われなくてもよい。すなわち、既に血液情報管理テーブル１３１に血液提供者ＩＤや当該血液提供者の血液型の情報が記憶されている場合、これらの情報は新たに記憶されることがなくてもよい（ステップＳ２１）。次に、図示しない制御部は血液情報管理テーブル１３１から既に当該テーブル１３１に記憶済みの血液情報を取得する（ステップＳ２２）。そして、次にこれら血液情報管理テーブルから取得した情報から血液製剤ラベルに印字するために必要な印字情報を抽出する（ステップＳ２３）。抽出する印字情報としては、例えば、血液型（Ａ型、Ｂ型、Ｏ型、ＡＢ型）や採血年月日、採血場所、最終有効年月日、凍結年月日、解凍年月日、またこれらの情報に対応したバーコード化のためのコード情報などを抽出する。そして、図示しない制御部は抽出した情報を印字情報としてＰＣ端末１１に通知する（ステップＳ２４）。
【００４３】
ＰＣ端末１１の制御部１１１では、センタサーバ１３からラベル印刷のための印字情報を受け付けた後、この印字情報をプリンタ１２に送信することで、プリンタ１２にラベル印刷の発行処理を指示する（ステップＳ１３）。プリンタ１２では、ＰＣ端末１１から送信された印字情報を受け付けると、制御部１２１がラベル印刷の発行処理を開始する（ステップＳ３１）。
【００４４】
なお、図７の実施の形態ではセンタサーバ１３にて血液情報から血液製剤ラベルに印字するための印字情報を抽出する形態としているが、これらに限られることない。すなわち、センタサーバ１３は血液情報管理テーブル１３１に記録されている血液情報をＰＣ端末に送信し、ＰＣ端末１１にてセンタサーバ１３から送信された血液情報から血液製剤ラベルに印字するための印字情報を選択して抽出し、当該印字情報をプリンタ１２に送信してラベル発行を行う形態であってもよい。
【００４５】
また、ＰＣ端末１１自身が血液情報管理テーブル１３１を有している場合は、以下のラベル発行システムであってもよい。ＰＣ端末１１自身が血液情報管理テーブル１３１を有しているため、センタサーバ１３を経由することなく、血液情報管理テーブル１３１を参照してラベルに印字するための印字情報を取得し、プリンタ１２に対してラベル発行要求と共に印字情報を送信してラベルに印刷を行う形態としてもよい。また、ラベルに印字するための印字情報は必ずしも血液情報管理テーブル１３１に記憶されている情報とする必要はなく、操作者Ｈ１が入力装置に入力した情報を、ＰＣ端末１１などの入力装置がセンタサーバ１３を経由することなく、プリンタ１２へと送信し、ラベルの発行を行う形態であってもよい。
【００４６】
図８は、本実施形態にかかるラベル印刷処理の手順の一例を示すフローチャートである。制御部１２１は、ＰＣ端末１１からラベル印刷のための印字情報（例えば、血液型、採血年月日、採血場所、最終有効年月日、凍結年月日、解凍年月日、これらの情報に対応したバーコード印字情報）とラベル印刷の発行命令とを受け付けると、印字部１２５を制御することで、図４に示したラベル２１の領域Ａ１１のうち、ＰＣ端末から送信された印字情報に含まれた血液型に該当する領域以外の領域を塗り潰す（ステップＳ３１１）。例えば、印字情報に血液型：Ｏ型の情報が含まれていた場合、Ｏ型以外の血液型に該当する領域を塗り潰す。つまり、Ａ型、Ｂ型、ＡＢ型の領域については例えば黒色などにて塗り潰すことによってＯ型を選択的に指定する印字となる。続いて、制御部１２１は、印字部１２５を用いて領域Ａ１２の対応する欄に、血液型（Ｒｈ−など）及びバーコードを印字する（ステップＳ３１２）。当該領域Ａ１２に印字するための情報は、センタサーバ１３から送信された印字情報に含まれる血液型の情報を基としている（ステップＳ３１２）。その後、センタサーバ１３から送信された印字情報に含まれる採血を行った場所である採血場所の情報、血液型の情報、採血された血液提供者ＩＤの情報を領域Ａ１３の対応する欄に印字する（ステップＳ３１３）。例えば、採血場所が東京で行われていた場合、東京と印字し、続いて採血された血液提供者がＯ型であった場合は、Ｏ型、この血液提供者の固有ＩＤを「ＸＸＸ９９９９９９」として領域Ａ１３に印字を行う。
【００４７】
次いで、制御部１２１は、センタサーバ１３から送信された印字情報に含まれる採血年月日の情報、凍結年月日の情報、解凍年月日の情報を領域Ａ１５に印字する（ステップＳ３１４）。また、制御部１２１は、印字情報に領域Ａ１６に記述すべき情報が含まれている場合には、該当する領域Ａ１６に印字する（ステップＳ３１５）。ここで記述すべき情報としては、注意書きなどが考えられる。なお、印字情報にこれらの情報が含まれていない場合には、ステップＳ３１５をスキップする。また、領域Ａ１６の印字内容は事前にラベルに印刷されている状態であってもよい。
【００４８】
そして、制御部１２１は、領域Ａ１３に印字した印字情報（採血場所、血液型、血液提供者ＩＤ等）をバーコード化したコード情報を生成すると（ステップＳ３１６）、このコード情報を領域Ａ１４に印字する。また、領域Ａ１５に印字した印字情報（印字情報に含まれた採血年月日、凍結年月日、解凍年月日など）をバーコード化したコード情報を生成し、領域Ａ１５の対応する欄に印字した後（ステップＳ３１７）、本処理を終了する。
【００４９】
図９は、本実施形態のラベル印刷発行処理により印字された血液製剤ラベル２１１の一例を示す図である。なお、同図では、血液製剤容器内に血液型がＯ型である血液が内包されている場合であって、この血液の血液型を表すために、Ｏ型を表す血液製剤ラベルが容器に貼り付けられている例を示している。領域Ａ１１に示すように、特定の血液型に対応する領域以外の領域が黒にて塗り潰されている。なお、本実施の形態では黒にて塗り潰す形態にて例示してあるが、この形態に限られることは無く、特定の血液型以外の領域に模様を付して印字を行う場合であってもよい。
【００５０】
このように、本実施形態のラベル印刷処理では、図４に示したラベル２１を用いて、特定の血液型に対応する領域のみを残し、この領域以外の他の領域を塗り潰す。これにより、特定の血液型を選択的に指定する印字となる。そして、領域Ａ１１において塗り潰しがされなかった領域の色は他の塗り潰し印字がされた領域よりも際立って表示されるため、操作者Ｈ１は、血液製剤容器内に封入されている血液の血液型を容易に識別することが可能となる。また、指定された血液型を周囲と異なる色として際立たせるために、上述したラベルを使用しているので、プリンタとしては、いわゆるカラープリンタを用いる必要はなく、単色で印刷できればよい。したがって、安価なプリンタを用いることができるという利点がある。  
【００５１】
また、本実施例のラベルは、各血液型に対応可能な共通のラベルであるため、ＰＣ端末に接続するプリンタは１台で足りることとなる。したがって、医療従事者等の操作者は、ロール紙２０がなくなってロール紙２０を補充する場合も、プリンタ１台に対して補充作業を行えばよいこととなり、作業負担を軽減することが可能となる。また、従来、血液型毎に保管場所を区別する等、各血液型に対応したラベル毎に管理を行う必要が生じていたが、本発明の一実施の形態である統一した１枚の血液製剤ラベルを用いることにより、各血液型に対応するラベル毎に管理を行う必要がなくなるので在庫管理が容易となる効果を奏する。
【００５２】
また、本発明の一実施の形態である血液製剤ラベルは、統一した１枚のラベルであるため、従来の各血液型に対応してラベル製造を行うよりも製造にかかるコストを極小化することができる効果を奏する。
【００５３】
なお、図８の例では、印字情報に含まれる血液型以外の領域を、非選択を意味する所定のパターンとして黒色で塗り潰すこととしたが、これに限らず、斜線やドット印字、取消線等のパターンを印字する形態としてもよい。
【００５４】
また、印字情報に含まれる血液型に対応する領域に対して選択を意味する所定の模様（例えば丸印、領域の周囲を黒く縁取る印字など）を付した場合であってもよい。かかる場合は、当該模様が付されている領域が選択された血液型であることが示され、これにより操作者Ｈ１は容易に選択された血液型を判断することが可能となる。すなわち、上述したこれらの印字は特定の血液型を選択的に指定する印字に該当する。
【００５５】
図１０は、ラベルの他の形態を示す図である。同図に示すように、ラベル２２は図３に示したラベル２１と同様の様式を有しているが、当該ラベル２１と領域Ａ２３のみが異なっている。ここで、領域Ａ２３は、採血が行われた場所を示す採血場所、血液型、固有ＩＤに関する情報を印字する領域Ａ２３であるが、当該領域Ａ２３についても領域Ａ１１と同様に予め各血液型に対応した色にて色分けされて印字がされている。
【００５６】
プリンタ１２の制御部１２１は、ラベル２２に対し、上述したラベル印刷処理を実行する際に、領域A１１だけでなく、領域Ａ２３についても、印字情報に含まれている血液型に対応する領域以外の領域を塗り潰すことで、図１１に示す血液製剤ラベル２２１を発行する。ここで、図１１は、一例を示す図であって、血液型：Ｏ型を表示する場合の例を示している。なお、領域Ａ１２およびＡ１４、Ａ１５、Ａ１６の印字については、上述したラベル印刷処理と同様であるため説明を省略する。
【００５７】
このように、図１０に示したラベル２２を用いることで、色による血液型の識別表示を二重に表示して発行することができるため、作業者のラベル読取間違いを未然に防止することに大きく貢献することができる。なお、ラベル２２の例では、領域Ａ２３の領域を塗り潰し印字をするようにしたが、これらの形態に限らず、ラベル内の他の領域Ａ１２やＡ１４の領域を予め血液型毎に色分けして表記しておき、これらの箇所に印字情報を印刷し、かつ所定の領域については塗り潰し印字を行う形態であってもよい。
【００５８】
［第２の実施形態］
次に、第２の実施形態について説明する。本実施形態では、上述した第１の実施形態とは異なるロール紙（ラベル）を用いて血液製剤用のラベルを発行する形態について説明する。なお、上述した第１の実施形態と同様の要素については、同じ符号を付与し説明を省略する。
【００５９】
図１２は、本実施形態で用いるロール紙３０に設けられたラベル３１の一例を示す図である。ロール紙３０は、赤色や青色、黄色、黒色等の複数の発熱色層を有した感熱用紙であって、印字部１２５の加熱温度に応じて複数の色を発色する。なお、本実施形態の感熱用紙は公知・公用のものを用いることが可能であり、例えばＺＩＮＫペーパー（登録商標）等の用紙を用いることができる。
【００６０】
また、ロール紙３０には、印字情報を印字するための欄を有したラベル３１が予めプリントされている。ここで、ラベル３１は、領域Ａ３１及び上述した領域Ａ１２〜Ａ１８を有して構成されている。領域Ａ３１は、血液提供者から採血により取得された血液の血液型に対応する項目が文字列や記号として印字される欄であって、印字が行われていない初期状態では空欄となっている。なお、領域Ａ３１のみを複数の色を発色可能な感熱用紙とし、当該領域Ａ３１以外の領域を単一色（黒色）のみ発色可能な感熱用紙とする形態としてもよい。
【００６１】
図１３は、本実施形態に係るプリンタ４１のハードウェア構成を示すブロック図である。同図に示すように、プリンタ４１は、制御部４１１と、表示部１２２と、入力部１２３と、端末通信部１２４と、印字部４１２とを備え、各部がバス１２６により接続されている。
【００６２】
制御部４１１は、ＣＰＵ、ＲＯＭ、ＲＡＭ等で構成され、ＣＰＵとＲＯＭに記憶された所定の制御プログラムとの協働により、プリンタ４１の動作を統括的に制御する。また、制御部４１１は、ＣＰＵとＲＯＭに記憶された所定の制御プログラムとの協働により、後述するラベル印刷処理を実行する。
【００６３】
具体的に制御部４１１は、印字情報に含まれた血液型を表す文字列や記号を、当該血液型に対し予め割り当てられた色で領域Ａ３１に印字するよう印字部４１２を制御する。なお、血液型と印字色との対応関係は、ＲＯＭ等の記憶媒体に記憶されているものとする。
【００６４】
印字部４１２は、ロール紙３０の各発熱色層に応じた温度で発熱するサーマルヘッドを有した熱転写プリンタエンジンである。印字部４１２は、制御部４１１から指示された印字色に応じてサーマルヘッドの熱エネルギーを制御し、ラベル３１の領域Ａ３１に血液型を表す文字列や記号を印字する。
【００６５】
以下、図１３及び図１５を参照して本実施形態に係るラベル印刷処理について説明する。なお、本処理は、第１の実施形態のラベル印刷処理（ステップＳ３１）に対応するものである。
【００６６】
制御部４１１は、ＰＣ端末１１から印字情報を受け付けると、印字部４１２を制御することで、印字情報に含まれた血液型を表す情報を当該血液型に応じた色で領域Ａ３１に印字する（ステップＳ４１）。続く、ステップＳ４２〜Ｓ４７については、上述した第１の実施形態のラベル印刷処理のステップＳ３１２〜Ｓ３１７と同様であるため、説明を省略する。なお、領域Ａ１２〜Ａ１６の印字については、黒色で印字するよう制御することが好ましい。
【００６７】
なお、同図では、血液製剤の容器に貼り付ける血液製剤ラベルとして血液型：Ｏ型が表示された例を示している。領域Ａ３１に示すように、印字情報にふくまれている血液型が、この血液型に対して予め定められた色（例えば、青色）で印字されている。この印字は特定の血液型を選択的に指定する印字に該当する。
【００６８】
このように、本実施形態のラベル印刷処理では、特定の血液型に対応する項目を当該血液型に対し予め定められた色で印字することで、特定の血液型を明示する。これにより、操作者Ｈ１は、血液製剤の容器に貼り付けられた血液製剤ラベルの領域Ａ３１に表された項目の色により当該容器内の血液の血液型を容易に識別することが可能となる。また、色で識別することができるため、視認性をよくすることができる。
【００６９】
さらに、図４に示す各血液型を色分け印刷したラベル２１を用いるので、従来、血液型毎に存在した血液製剤ラベルを統一することが可能となる。これにより、血液型毎に対応する血液製剤ラベルを各プリンタにセットする必要が無くなる。すなわち、統一された血液製剤ラベルを１台のプリンタにセットし、ラベル発行したい所望の血液型に対応した血液製剤ラベルを発行する。このため、従来、血液製剤ラベルが用紙切れとなった場合、医療従事者などの操作者Ｈ１は各プリンタに対してラベル用紙交換作業を行う必要が生じていたが、１台のプリンタに対するラベル用紙交換作業とすることができ、ラベル用紙交換作業に伴う作業負担を軽減することができる。
【００７０】
以上、本発明の実施の形態について説明したが、本発明はこれに限定されるものではなく、本発明の主旨を逸脱しない範囲での種々の変更、置換、追加等が可能である。
【００７１】
例えば、容器等のラベル貼付対象物への貼付を支援するため、上記実施形態で用いたロール紙の裏面に粘着材が塗布する形態としてもよい。また、上記実施形態では、血液製剤容器に貼り付ける血液製剤ラベルを例として説明したが、血液製剤を用途とするラベルに限らず、他の用途に用いる形態としてもよい。例えば、予め複数の色で色分け印字されたラベルであって、プリンタにより所定の項目を表現するように所定の項目以外を塗りつぶして使用する医療用ラベルや、所定の項目をプリンタにより印字することで、所定の項目を所定の色で表示させることで使用する医療用ラベルであってもよい。
【００７２】
例えば、本実施の形態では、血液製剤ラベルを一例として説明したが、これに限られるものではない。例えば、人の血液が内包されている容器（例えば、試験管などの容器）に対して、容器に内包されている血液を識別するために本発明のラベルを用いることが可能である。また、特定の血液型の患者にのみ投薬することが可能な薬に対して、その投薬可能な血液型を示すために本発明のラベルを用いて使用することが可能である。
【００７３】
また、上記実施形態の各装置で実行されるプログラムは、ＲＯＭ等に予め組み込んで提供するように構成してもよい。また、上記プログラムは、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録されて提供されてもよい。
【００７４】
また、上記プログラムを、インターネット等のネットワークに接続されたコンピュータ上に格納し、ネットワーク経由でダウンロードさせることにより提供するように構成してもよい。また、上記プログラムをインターネット等のネットワーク経由で提供又は配布するように構成してもよい。
【符号の説明】
【００７５】
１  ラベル発行システム
１１  ＰＣ端末
１１１  制御部
１１２  表示部
１１３  入力部
１１４  コードスキャナ部
１１５  サーバ通信部
１１６  プリンタ通信部
１１７  バス
１２  プリンタ
１２１  制御部
１２２  表示部
１２３  入力部
１２４  端末通信部
１２５  印字部
１２６  バス
１３  センタサーバ
１３１  血液提供者情報管理テーブル
２０  ロール紙
２１  ラベル
３０  ロール紙
３１  ラベル
４１  プリンタ
４１１  制御部
４１２  印字部
【先行技術文献】
【特許文献】
【００７６】
【特許文献１】特開２００２−３５０８５号公報
【図１】
2011182917.tif 000003
【図２】
2011182917.tif 000004
【図３】
2011182917.tif 000005
【図４】
2011182917.tif 000006
【図５】
2011182917.tif 000007
【図６】
2011182917.tif 000008
【図７】
2011182917.tif 000009
【図８】
2011182917.tif 000010
【図９】
2011182917.tif 000011
【図１０】
2011182917.tif 000012
【図１１】
2011182917.tif 000013
【図１２】
2011182917.tif 000014
【図１３】
2011182917.tif 000015
【図１４】
2011182917.tif 000016
【図１５】
2011182917.tif 000017
【図１６】
2011182917.tif 000018
【図１７】
2011182917.tif 000019